(57)【要約】【課題】従来にない新規な方法でナンバープレートに取り付け可能な無線通信モジュールの技術を提供する。【解決手段】電子ナンバープレート用無線通信モジュール２のナンバープレート１への取り付け時に、ボルト３によって取り付け部２２およびそれと一体の筐体がナンバープレート１に固定され、さらに、取り付け部２２に固定されている突起部２４ａが、ナンバープレート１に食い込み、ボルト３の回りの電子ナンバープレート用無線通信モジュール２の回転を抑制する。【選択図】 図９
2008049771.tif 000002
【特許請求の範囲】
【請求項１】
車両のナンバープレート（１）に取り付けられる無線通信モジュールであって、
前記ナンバープレート（１）を前記車両の車体に固定するためのボルト（３）を通す穴（１０）が開いていると共に、無線通信のための回路を保護する筐体（２１、２２）と、
前記筐体（２１、２２）に固定可能な突起部（２４ａ、３４、６２）と、を備え、
前記突起部（２４ａ、３４、６２）の前記筐体（２１、２２）への固定位置は、当該無線通信モジュールが前記ナンバープレート（１）に取り付けられた状態において、前記筐体（２１、２２）によって押し付けられることで、前記ナンバープレート（１）に食い込む位置であることを特徴とする無線通信モジュール。
【請求項２】
前記突起部（２４ａ、３４、６２）は、前記筐体（２１、２２）に開いた前記穴（１０）を中心とする周上に配置されて固定されることを特徴とする請求項１に記載の無線通信モジュール。
【請求項３】
前記突起部（６２）は、前記筐体（２１、２２）に設けられたアーチ状の溝（６１）にはめ込まれることで、前記筐体（２１、２２）に固定されることを特徴とする請求項２に記載の無線通信モジュール。
【請求項４】
非円形の固定部材（２３、３３ａ）、および前記穴（１０）に挿入されるブッシュ部（２４ｂ、３３ｂ）を、更に備え、
前記筐体（２１、２２）は、前記穴（１０）の周囲の、前記ナンバープレート（１）と対面する側の反対側に、窪み部（２５）を有し、
前記突起部（２４ａ、３４）と前記固定部材（２３、３３ａ）とが、前記穴（１０）を挟んで互いに回転を制限されて前記ブッシュ部（２４ｂ、３３ｂ）を介して固定され、かつ、前記固定部材（２３、３３ａ）が前記窪み部（２５）内に回転を制限されてはめ込まれることで、前記突起部（２４ａ、３４）の前記穴形成部（２２）への固定が実現することを特徴とする請求項１ないし３のいずれか１つに記載の無線通信モジュール。
【請求項５】
前記突起部（２４ａ）は、前記ブッシュ部（２４ｂ）と一体に形成され、
前記固定部材（２３）と前記突起部（２４ａ）とは、前記ブッシュ部（２４ｂ）を介して互いに固定されることを特徴とする請求項４に記載の無線通信モジュール。
【請求項６】
前記固定部材（３３ａ）は、前記ブッシュ部（３３ｂ）と一体に形成され、
前記固定部材（３３ａ）と前記突起部（３４）とは、前記ブッシュ部（３３ｂ）を介して互いに固定されることを特徴とする請求項４に記載の無線通信モジュール。
【請求項７】
前記ナンバープレート（１）に取り付けられた状態において、外部から前記穴（１０）が見えないように隠す蓋（５１、５２）を有することを特徴とする請求項１ないし６のいずれか１つに記載の無線通信モジュール。
【請求項８】
車両のナンバープレート（１）に取り付けられる無線通信モジュールであって、
無線通信のための回路を保護する筐体本体（２１）と、
ボルト（３）を通す穴（１０）が開いた穴形成部（２２）と、
突起部（２４ａ、３４、６２）と、を備え、
前記筐体本体（２１）の前記ナンバープレート（１）への取り付け時に、前記穴形成部（２２）は、前記筐体本体（２１）に固定されていると共に、前記穴（１０）を通る前記ボルト（３）によって前記ナンバープレート（１）に固定され、
前記突起部（２４ａ、３４、６２）は、前記穴形成部（２２）が前記穴（１０）を通る前記ボルト（３）によって前記ナンバープレート（１）に固定されたときに、前記筐体本体（２１）または前記穴形成部（２２）に固定されており、かつ、前記ナンバープレート（１）に食い込むことを特徴とする無線通信モジュール。
【請求項９】
無線通信のための回路を保護し、ボルト（３）を通す穴（１０）が開いた筐体（２１、２２）と、突起部（２４ａ、３４、６２）と、を備えた無線通信モジュール（２）を車両のナンバープレート（１）に取り付けるための取り付け方法であって、
前記突起部（２４、３４、６２）が前記筐体（２１、２２）に固定された状態で、前記突起部（２４、３４、６２）を前記ナンバープレート（１）に押し付け、さらに、前記ボルト（３）を前記穴（１０）および前記ナンバープレート（１）に通すことで、前記筐体（２１、２２）を前記ナンバープレート（１）に固定する取り付け方法。
【発明の詳細な説明】
【技術分野】
【０００１】
本発明は、ナンバープレートに取り付けるための無線通信モジュールおよび無線通信モジュールのナンバープレートへの取り付け方法に関する。
【背景技術】
【０００２】
近年、無線通信モジュールを車両のナンバープレートに取り付けることが提案されている。例えば、電子ナンバープレートは、ナンバープレートに取り付けられ、ナンバープレートの情報等の車両情報を無線送信する装置である（例えば、特許文献１参照）。無線通信モジュールのナンバープレートへの取り付けには、ナンバープレートを車体に取り付けるボルトを利用し、共締め固定する方法が知られている。
【０００３】
無線通信モジュールをそのようなボルトのみで固定する場合、無線通信モジュールのナンバープレートに対する回転移動を抑制する機構を別途設けることが望ましい。回転移動を抑制する方法としては、ナンバープレートの端部に無線通信モジュールを引っ掛けて固定する方法がある（特許文献２参照）。
【特許文献１】特許３２３６８３２号公報
【特許文献２】特開２００６−０７６３４５号公報
【発明の開示】
【発明が解決しようとする課題】
【０００４】
しかし、このような技術では、端部の周囲に他の部品があるナンバープレート（例えば、アクセサリ用の枠が付いたナンバープレート、背面に発光装置のある字光式ナンバープレート）や、変形の大きいナンバープレートに対する取り付けは困難である。
【０００５】
本発明は上記点に鑑み、従来にない新規な方法でナンバープレートに取り付け可能な無線通信モジュールの技術を提供することを目的とする。
【課題を解決するための手段】
【０００６】
上記の目的を達成するための本発明の特徴は、車両のナンバープレート（１）に取り付けられる無線通信モジュールが、ナンバープレート（１）を車両の車体に固定するためのボルト（３）を通す穴（１０）が開いていると共に、無線通信のための回路を保護する筐体（２１、２２）と、筐体（２１、２２）に固定可能な突起部（２４ａ、３４、６２）と、を備え、突起部（２４ａ、３４、６２）の筐体（２１、２２）への固定位置は、当該無線通信モジュールがナンバープレート（１）に取り付けられた状態において、筐体（２１、２２）によって押し付けられることで、ナンバープレート（１）に食い込む位置となっていることである。
【０００７】
このように、無線通信モジュールのナンバープレート（１）への取り付け時に、ボルト（３）によって筐体（２１、２２）がナンバープレート（１）に固定され、さらに、筐体（２１、２２）に固定されている突起部（２４ａ、３４、６２）が、ナンバープレート（１）に食い込む。このように、突起部（２４ａ、３４、６２）がナンバープレート（１）に食い込むことで、ナンバープレート（１）に対する無線通信モジュールの回転を抑制しつつ、無線通信モジュールをナンバープレート（１）に取り付けることができる。そして、その取り付けの際、ナンバープレート（１）の端部を利用する必要がない。また、ナンバープレート（１）が曲がっていても、突起部（２４ａ、３４、６２）がナンバープレート（１）に押し付けられさえすれば、無線通信モジュールの回転を抑制することができる。
【０００８】
また、突起部（２４ａ、３４、６２）は、筐体（２１、２２）に開いた穴（１０）を中心とする周上に配置されて固定されるようになっていてもよい。このようになっていることで、無線通信モジュールの、ボルト（３）を中心とする回転を効率よく抑制することができる。
【０００９】
さらに、突起部（６２）は、筐体（２１、２２）に設けられたアーチ状の溝（６１）にはめ込まれることで、筐体（２１、２２）に固定されるようになっていてもよい。このようになっていることで、突起部（６２）自体の存在により、筐体（２１、２２）と突起部（６２）とがボルト（３）中心とする回転方向へずれることを抑制できる。
【００１０】
また、無線通信モジュールは、非円形の固定部材（２３、３３ａ）および穴（１０）に挿入されるブッシュ部（２４ｂ、３３ｂ）を更に備え、筐体（２１、２２）は、穴（１０）の周囲の、ナンバープレート（１）と対面する側の反対側に、窪み部（２５）を有し、突起部（２４ａ、３４）と固定部材（２３、３３ａ）とが、穴（１０）を挟んで互いに回転を制限されてブッシュ部（２４ｂ、３３ｂ）を介して固定され、かつ、固定部材（２３、３３ａ）が窪み部（２５）内に回転を制限されてはめ込まれることで、突起部（２４ａ、３４）の穴形成部（２２）への固定が実現してもよい。
【００１１】
このようになっていることで、固定部材（２３、３３ａ）が窪み部（２５）によって回転移動を制限され、それによって筐体（２１、２２）と突起部（２４ａ、３４）とが、ボルト（３）を中心として互いに回転することを抑えることができる。また、突起部（２４ａ、３４）がブッシュ部（２４ｂ、３３ｂ）を介して筐体（２１、２２）に固定されていることで、ボルト（３）の締めによって効果的に突起部（２４ａ、３４）をナンバープレート（１）に押し付けることができる。
【００１２】
またこのとき、突起部（２４ａ）はブッシュ部（２４ｂ）と一体に形成され、固定部材（２３）と突起部（２４ａ）とは、ブッシュ部（２４ｂ）を介して互いに固定されようになっていてもよい。このようになっていることで、ボルト（３）が締まれば確実に突起部（２４ａ、３４）をナンバープレート（１）に食い込ませることができる。
【００１３】
また、固定部材（３３ａ）はブッシュ部（３３ｂ）と一体に形成され、固定部材（３３ａ）と突起部（３４）とは、ブッシュ部（３３ｂ）を介して互いに固定されるようになっていてもよい。
【００１４】
ナンバープレート（１）に取り付けられた状態において、外部から穴（１０）が見えないように隠す蓋（５１、５２）を有するようになっていてもよい。このようになっていることで、無線通信モジュールの取り付け構造を隠すことができるので、無線通信モジュールの見栄えが向上し、さらに、取り付け構造に対する第三者によるいたずらを抑制することもできる。
【００１５】
また、本発明の特徴は、別の観点から見れば、車両のナンバープレート（１）に取り付けられる無線通信モジュールが、無線通信のための回路を保護する筐体本体（２１）と、ボルト（３）を通す穴（１０）が開いた穴形成部（２２）と、突起部（２４ａ、３４、６２）と、を備えている。そして、筐体本体（２１）のナンバープレート（１）への取り付け時に、穴形成部（２２）は、筐体本体（２１）に固定されていると共に、穴（１０）を通る前記ボルト（３）によってナンバープレート（１）に固定される。また、突起部（２４ａ、３４、６２）は、穴（１０）を通るボルト（３）によって穴形成部（２２）がナンバープレート（１）に固定されたときに、筐体本体（２１）または穴形成部（２２）に固定されており、かつ、ナンバープレート（１）に食い込むようになっていると、捉えることができる。
【００１６】
なお、穴形成部（２２）が、「筐体（２１）のナンバープレート（１）への取り付け時に筐体（２１）に固定されている」とは、少なくとも取り付け時には筐体（２１）に固定されていることを意味している。すなわち、ナンバープレート（１）への取り付け時に穴形成部（２２）が筐体（２１）に固定されておりさえすれば、穴形成部（２２）が筐体（２１）に固定されるタイミングは、ナンバープレート（１）への筐体（２１）の取り付け時でもよいし、取り付け前でもよい。また、筐体（２１）と穴形成部（２２）とがあらかじめ一体成型されていてもよい。
【００１７】
また、突起部（２４ａ、３４、６２）が、「穴形成部（２２）が穴（１０）を通るボルト（３）によってナンバープレート（１）に固定されたとき、筐体（２１）または穴形成部（２２）に固定されている。」とは、少なくとも固定されたときには筐体（２１）または穴形成部（２２）に固定されていることを意味している。すなわち、穴形成部（２２）の固定時に突起部（２４ａ、３４、６２）が筐体（２１）または穴形成部（２２）に固定されておりさえすれば、突起部（２４ａ、３４、６２）がこれらに固定されるタイミングは、穴形成部（２２）のナンバープレート（１）への固定時でもよいし、固定前でもよいし、突起部（２４ａ、３４、６２）は筐体（２１）または穴形成部（２２）のナンバープレート（１）に対向する面上にあらかじめインサート加工等で形成されていてもよい。
【００１８】
さらに、本発明の特徴は、無線通信のための回路を保護し、ボルト（３）を通す穴（１０）が開いた筐体（２１、２２）と、突起部（２４ａ、３４、６２）と、を備えた無線通信モジュール（２）を車両のナンバープレート（１）に取り付けるための取り付け方法であって、突起部（２４、３４、６２）が筐体（２１、２２）に固定された状態で、突起部（２４、３４、６２）をナンバープレート（１）に押し付け、さらに、ボルト（３）を穴（１０）およびナンバープレート（１）に通すことで、筐体（２１、２２）をナンバープレート（１）に固定する取り付け方法としても捉えることができる。
【００１９】
なお、上記特許請求の範囲における括弧内の符号は、特許請求の範囲に記載された成要素等の一例として後述の実施形態に記載される具体的構成要素等との対応関係を示すものである。
【発明を実施するための最良の形態】
【００２０】
以下、本発明の一実施形態について説明する。図１に、車両用のナンバープレート１に、本実施形態に係る電子ナンバープレート用無線通信モジュール２が、ボルト３で固定される様子を斜視図で示す。
【００２１】
ボルト３は、ナンバープレート１を車体に取り付けて固定するためのボルトである。電子ナンバープレート用無線通信モジュール２をナンバープレート１に取り付けない場合、ボルト３をナンバープレート１の穴に通し、さらにボルト３を車体のねじ穴に挿入して締め付けることで、ナンバープレート１が車体に固定される。
【００２２】
本実施形態においては、ナンバープレート１および電子ナンバープレート用無線通信モジュール２をこの１本のボルト３で共締めすることによって、電子ナンバープレート用無線通信モジュール２のナンバープレート１への固定、および、ナンバープレート１の車体への固定を実現する。具体的には、ボルト３を電子ナンバープレート用無線通信モジュール２の穴に通し、さらに、ボルト３をナンバープレート１の穴に通し、さらにボルト３を車体のねじ穴に挿入して締め付ける。これによって、電子ナンバープレート用無線通信モジュール２は、ナンバープレート１の表面に押さえつけられた状態で、ナンバープレート１に固定される。
【００２３】
図２および図３に、電子ナンバープレート用無線通信モジュール２およびボルト３の斜視図を示す。図２は、電子ナンバープレート用無線通信モジュール２の前面側、すなわち、取り付け後に外部から見える側から見た斜視図である。図３は、電子ナンバープレート用無線通信モジュール２の接触面側、すなわち、取り付け後にナンバープレート１に対面する側から見た斜視図である。
【００２４】
これらの図に示すように、電子ナンバープレート用無線通信モジュール２は、筐体本体２１および取り付け部２２から成る筐体を有している。更に、電子ナンバープレート用無線通信モジュール２は、回り止めプレート２３および突起形状部材２４を有している。筐体本体２１は樹脂製であり、その内部には、電池、通信回路、制御回路、メモリ等、ナンバープレート１の情報等の車両情報を無線送信するための、電子ナンバープレート用無線通信モジュール２の構成部品が格納される。これら構成部品は、筐体本体２１によって外部から保護されている。
【００２５】
取り付け部２２は、筐体本体２１と一体に形成されることで筐体本体２１に対して固定されている部材である。この取り付け部２２には、電子ナンバープレート用無線通信モジュール２をその前面から接触面まで貫通する穴１０が開けられている。電子ナンバープレート用無線通信モジュール２をナンバープレート１に固定する際、ボルト３はこの穴１０に挿入される。
【００２６】
回り止めプレート２３は、非円形形状、具体的には、正六角形の頂点がさらに外側に突出した星型形状の金属製平板である。この回り止めプレート２３の中央には、取り付け部２２の穴１０と同じ大きさの穴が設けられている。電子ナンバープレート用無線通信モジュール２のナンバープレート１への固定時には、図２に示すように、回り止めプレート２３が、取り付け部２２の前面側に、その穴と穴１０の位置が一致するように取り付けられ、さらに、ボルト３が回り止めプレート２３の穴および穴１０に、この順に挿入される。
【００２７】
突起形状部材２４は、ナンバープレート１の材質（例えばアルミニウム）より硬い金属から成り、先端が尖った複数の突起物を含んでいる。この突起形状部材２４には、取り付け部２２の穴１０よりやや小さい穴が開けられており、その穴の周囲に上述の金属製の突起物が円環状に並べられている。この突起形状部材２４は、図３に示すように、取り付け部２２の接触面側に取り付けられ、それによって、これら突起物の先端が、ナンバープレート１の方向を向く。
【００２８】
図４〜６に、取り付け部２２に対する回り止めプレート２３および突起形状部材２４の取り付け手順を示す。なお、図５は、図４の斜視図に示すように取り付け部２２、回り止めプレート２３、突起形状部材２４を配置した状態において、穴１０の中心を垂直に貫通する中心線１１を含み、かつ、突起形状部材２４の最上端および最下端を通る線１２を含む面で、取り付け部２２、回り止めプレート２３、突起形状部材２４を切断したときの断面図である。
【００２９】
まず、取り付け部２２、回り止めプレート２３、および突起形状部材２４を、図４および図５に示すような配置に並べる。なお、図４、５に示すように、回り止めプレート２３は、その穴のすぐ左右に、穴の中心方向に突起しているかしめ部２３ａ、２３ｂを有している。
【００３０】
また、図５に示すように、突起形状部材２４は、円環状に並んだ複数の突起物およびそれら突起物を支える部材から成る突起部２４ａ、および、突起部２４ａと一体に形成された円筒形状のブッシュ部２４ｂを有している。より具体的には、突起形状部材２４は、外歯座金にブッシュ部品を組み合わせた様な形状を有している。ブッシュ部２４ｂの長さは、穴１０の深さをわずかに超えている。ブッシュ部２４ｂは、その前面側の端部の左右に、切り欠き２４ｃ、２４ｄを有している。
【００３１】
また、取り付け部２２の表面側における穴１０の周囲は、前方に盛り上がることによって、やや先細りの円柱形状２６を形成している。さらに、その円柱形状２６の頂部の面（すなわち、回り止めプレート２３に対向する面）には、円柱形状２６の頂部に対して、名バープレート１の方向に窪んだ窪み部２５が形成されている。この窪み部２５を前方から見たときの形状は、回り止めプレート２３とほぼ相似の形状であり、かつ、その大きさは、回り止めプレート２３の大きさとほぼ同じである。したがって、回り止めプレート２３は、窪み部２５にぴったり密着して嵌まるようになる。
【００３２】
図６は、回り止めプレート２３および突起形状部材２４を取り付け部２２に組み付けた状態の、図５と同じ面における断面図である。この図に示すように、回り止めプレート２３を窪み部２５にはめ込み、さらに、突起形状部材２４のブッシュ部２４ｂを穴１０に挿入する。そして、ブッシュ部２４ｂの先端部にある切り欠き２４ｃおよび２４ｄに、回り止めプレート２３のかしめ部２３ａおよび２３ｂをそれぞれはめ込んでかしめ結合させる。このようにすることで、回り止めプレート２３と突起部２４ａとが、取り付け部２２を挟んで、ブッシュ部２４ｂを介して、固定される。また、かしめ部２３ａ、ｂおよび切り欠き２４ｃ、ｄにおけるかしめ結合により、回り止めプレート２３と突起形状部材２４とは互いに回転することができないようになっている。
【００３３】
さらに、このような組み付けによって、回り止めプレート２３が窪み部２５に当たることによって、回り止めプレート２３の取り付け部２２に対する回転が制限される。その結果として、突起形状部材２４の取り付け部２２に対する回転が制限される。すなわち、突起形状部材２４と取り付け部２２とは、互いに空回りしない構造となっている。
【００３４】
図７〜図９に、このようにして組みつけられた電子ナンバープレート用無線通信モジュール２をナンバープレート１に固定する手順を、図５と同じ面における断面図で示す。
【００３５】
これらの図に示すように、ナンバープレート１の穴に電子ナンバープレート用無線通信モジュール２の穴１０の位置を合わせ、電子ナンバープレート用無線通信モジュール２の前面側からそれらの穴に、ボルト３を挿入する。そして、ボルト３のうち、ナンバープレート１の裏面に出た部分は、図示しない車体のねじ穴にねじ込まれる。そして、ボルト３を強く締めることで、電子ナンバープレート用無線通信モジュール２がナンバープレート１に押さえつけられ、ねじ穴、ナンバープレート１、および電子ナンバープレート用無線通信モジュール２が、それぞれ固定される。このとき、突起部２４ａの突起物が、筐体に押し付けられることで、ナンバープレート１に食い込む。この食い込んだ突起物とナンバープレート１との間の引っかかりにより、突起形状部材２４がボルト３を中心としてナンバープレート１に対して回転することが制限され、ひいては、電子ナンバープレート用無線通信モジュール２がボルト３を中心としてナンバープレート１に対して回転することが制限される。
【００３６】
このように、電子ナンバープレート用無線通信モジュール２のナンバープレート１への取り付け時に、ボルト３によって取り付け部２２および筐体本体２１がナンバープレート１に固定され、さらに、筐体本体２１または取り付け部２２に固定されている突起部２４ａが、ナンバープレート１に食い込む。このように、突起部２４ａがナンバープレート１に食い込むことで、ナンバープレート１に対する電子ナンバープレート用無線通信モジュール２の回転を抑制しつつ、電子ナンバープレート用無線通信モジュール２をナンバープレート１に取り付けることができる。そして、その取り付けの際、ナンバープレート１の端部を利用する必要がない。また、ナンバープレート１が曲がっていても、突起部２４ａがナンバープレート１に押し付けられさえすれば、電子ナンバープレート用無線通信モジュール２のボルト３の周りの回転を抑制することができる。
【００３７】
したがって、電子ナンバープレート用無線通信モジュール２の取り付けは、ナンバープレート１と電波モジュールとを1本のボルト３で共締めするだけで、各方向（ナンバープレート１の面に対して平行、垂直、回転の方向）についての固定が可能となる。また、電子ナンバープレート用無線通信モジュール２の取り付け作業性もよくなるので、簡単に取り付けができるようになる。また、ナンバープレート１の表面上に歯が食い込んでいるだけなので、ナンバープレート１と共締めしている取り付け用ボルトを外すだけで、容易にナンバープレート１を取り外すことができる。したがって、電子ナンバープレート用無線通信モジュール２の内部電池の交換も容易になる。
【００３８】
また、本実施形態の電子ナンバープレート用無線通信モジュール２は、ナンバープレート１の端部等の固有の形状を利用しない。したがって、ボルト３用の穴と突起部２４ａが食込ませられる平面部分がナンバープレート１にありさえすれば、電子ナンバープレート用無線通信モジュール２の取り付けが可能となる。したがって、本実施形態の電子ナンバープレート用無線通信モジュール２は、アクセサリ用のナンバープレート枠の付けられたナンバープレートや字光式のナンバープレート、更には、多少歪んだナンバープレートにも取り付けが可能となる。また、ナンバープレート１に電子ナンバープレート用無線通信モジュール２を取り付けた後は、外部からはナンバープレート１の筐体本体２１および取り付け部２２のみが見えるだけであり、見た目にもシンプルとなる。
【００３９】
また、突起部２４ａは、取り付け部２２の穴１０を中心とする周上に配置されて固定されている。このようになっていることで、ナンバープレート１の、ボルト３を中心とする回転を効率よく抑制することができる。
【００４０】
また、電子ナンバープレート用無線通信モジュール２は、非円形の回り止めプレート２３および穴１０に挿入されるブッシュ部２４ｂを更に備え、取り付け部２２は、穴１０の周囲の、ナンバープレート１と対面する側の反対側に、窪み部２５を有し、突起部２４ａと回り止めプレート２３とが、穴１０を挟んで互いに回転を制限されてブッシュ部２４ｂを介して固定され、かつ、回り止めプレート２３が窪み部２５内に回転を制限されてはめ込まれることで、突起部２４ａの取り付け部２２への固定が実現している。
【００４１】
このようになっていることで、回り止めプレート２３が窪み部２５によって回転移動を制限され、それによって取り付け部２２と突起部２４ａとが、ボルト３を中心として互いに回転することを抑えることができる。
【００４２】
樹脂部品のネジ締め、ボルト締めには、樹脂のクリープ変形や熱変形によりネジ締結緩みが懸念される。ブッシュ部２４ｂが穴１０に埋め込まれていることで、ボルト３の締付け力は、ブッシュ部２４ｂが受けている。それによって、樹脂にクリープ変形や熱変形が発生しても、ボルト３の締結力の低下が抑えられる。
【００４３】
またこのとき、突起部２４ａはブッシュ部２４ｂと一体に形成され、固定部材２３と突起部２４ａとは、ブッシュ部２４ｂを介して互いに固定されようになっている。すなわちボルト３の締め付け軸力は、突起部２４ａと一体となったブッシュ部２４ｂで受け、締付け力はそのまま突起部２４ａに伝わるようになっている。このようになっていることで、ボルト３を締めれば効果的に突起部２４ａをナンバープレート１に押し付けて食い込ませることができる。
【００４４】
（第２実施形態）
次に、本発明の第２実施形態について、第１実施形態と異なる部分を中心に説明する。図１０および図１１に、本実施形態に係る電子ナンバープレート用無線通信モジュール２を、それぞれ図５および図６と同じ形式の断面図で示す。本実施形態の電子ナンバープレート用無線通信モジュール２が第１実施形態の電子ナンバープレート用無線通信モジュール２と異なるのは、本実施形態の電子ナンバープレート用無線通信モジュール２が、回り止めプレート２３および突起形状部材２４に代えて、回り止め部材３３および外歯座金３４を有していることである。
【００４５】
回り止め部材３３は、第１実施形態の回り止めプレート２３と同材質同形状のプレート部３３ａと、第１実施形態のブッシュ部２４ｂと同材質同形状のブッシュ部３３ｂとを有している。このプレート部３３ａとブッシュ部３３ｂとは、一体に形成されている。外歯座金３４は、突起部２４ａと同材質同形状となっている。
【００４６】
本実施形態においては、図１１に示すように、回り止め部材３３のブッシュ部３３ｂを穴１０に挿入すると共に、プレート部３３ａを窪み部２５にはめ込む。そして、ブッシュ部３３ｂのうち、取り付け部２２の接触面側の端部に、外歯座金３４をかしめ結合させる。このかしめ結合においては、回り止め部材３３に対して外歯座金３４が回転しないように、ブッシュ部３３ｂおよび外歯座金３４を非円形に変形させてもよい。
【００４７】
このようにすることで、プレート部３３ａと外歯座金３４とが取り付け部２２を挟んで、ブッシュ部３４ｂを介して、固定される。このように、ブッシュ部３３ｂをプレート部３３ａと一体に形成することで、外歯座金３４として、汎用品を用いることができるようになる。
【００４８】
（第３実施形態）
次に、本発明の第３実施形態について、第２実施形態と異なる部分を中心に説明する。図１２に、本実施形態の電子ナンバープレート用無線通信モジュール２の斜視図を示す。また、図１３および図１４に、本実施形態に係る電子ナンバープレート用無線通信モジュール２を、それぞれ図５および図６と同じ形式の断面図で示す。
【００４９】
本実施形態の電子ナンバープレート用無線通信モジュール２が第２実施形態の電子ナンバープレート用無線通信モジュール２と異なる点は、回り止め部材３３に代えてブッシュ部材４３を有していることである。ブッシュ部材４３は、回り止め部材３３のブッシュ部３３ｂと同材質同形状である。このブッシュ部材４３は、穴１０の内壁にインサート成型されることで、取り付け部２２に対して固定されている。そして、このブッシュ部材４３のうち、取り付け部２２の接触面側の端部に、外歯座金３４をかしめ結合させる。このかしめ結合においては、回り止め部材３３に対して外歯座金３４が回転しないように、ブッシュ部３３ｂおよび外歯座金３４を変形させてもよい。
【００５０】
このように、筐体本体２１および取り付け部２２の材質によっては、インサート成形によってボルト３の軸力を受けるブッシュ部材４３を取り付け部２２に結合させ、それに外歯座金３４をかしめ等で結合させてもよい。
【００５１】
（第４実施形態）
次に、本発明の第４実施形態について、第１実施形態と異なる部分を中心に説明する。図１５および図１６に、本実施形態の電子ナンバープレート用無線通信モジュール２の斜視図を示す。本実施形態の電子ナンバープレート用無線通信モジュール２が第１実施形態と異なるのは、本実施形態の電子ナンバープレート用無線通信モジュール２は、回り止めプレート２３を有さず、さらに、突起形状部材２４に代えてアーチ歯６２を有し、さらに、取り付け部２２の接触面側には、アーチ歯６２がぴったり（または僅かな隙間を残して）嵌まる溝６１が設けられていることである。図１５は、アーチ歯６２が溝６１に挿入される前の状態を、図１６は、アーチ歯６２が溝６１に挿入された後の状態を、それぞれ示している。
【００５２】
アーチ歯６２は、円環の一部が欠けた円弧形状の（ナンバープレート１より硬い）金属である。そして、アーチ歯６２のナンバープレート１に取り付けられる側には、当該円弧形状に沿った複数の先端が尖った突起物が設けられている。このようなアーチ歯６２は、溝６１にはめ込まれることで、取り付け部２２に固定される。
【００５３】
そして、図１６のように組みつけられた電子ナンバープレート用無線通信モジュール２を、ボルト３でナンバープレート１に固定することで、アーチ歯６２がナンバープレート１に押し付けられて食い込む。
【００５４】
この場合は、アーチ歯６２が円形でないため、アーチ歯６２そのものが電子ナンバープレート用無線通信モジュール２のボルト３の周りの回転を制限し、電子ナンバープレート用無線通信モジュール２の回り止めとして機能する。また、この場合、第１実施形態のような回り止めプレート２３を省略できるため、電子ナンバープレート用無線通信モジュール２の製造コストを抑えることができる。
【００５５】
（第５実施形態）
次に、本発明の第５実施形態について、第１実施形態と異なる点について説明する。図１７に、本実施形態の電子ナンバープレート用無線通信モジュール２の斜視図を示す。本実施形態の電子ナンバープレート用無線通信モジュール２が第１実施形態の電子ナンバープレート用無線通信モジュール２と異なる点は、本実施形態の電子ナンバープレート用無線通信モジュール２が、樹脂製もしくは金属製で円環形状の封緘部材５１を有していることである。電子ナンバープレート用無線通信モジュール２にボルト３を通すとき、まずボルト３を封緘部材５１の穴に挿入し、さらに、取り付け部２２の穴１０に挿入する。そして、ボルト３のフランジ部と取り付け部２２で封緘部材５１を挟むことで、封緘部材５１を固定する。
【００５６】
このような組み付けを行うことで、ナンバープレート１に電子ナンバープレート用無線通信モジュール２が取り付けられた状態において、封緘部材５１は、回り止めプレート２３等の回り止めの機構を外部から完全に隠す蓋として機能する。このようになっていることで、ナンバープレート１の見栄えが向上し、さらに、電子ナンバープレート用無線通信モジュール２の取り付け構造に対する第三者によるいたずらを抑制することもできる。また、電子ナンバープレート用無線通信モジュール２およびナンバープレート１の盗難の恐れを低減することができる。
【００５７】
（第６実施形態）
次に、本発明の第６実施形態について、第５実施形態と異なる点について説明する。図１８に、本実施形態の電子ナンバープレート用無線通信モジュール２の斜視図を示す。本実施形態の電子ナンバープレート用無線通信モジュール２が第１実施形態の電子ナンバープレート用無線通信モジュール２と異なる点は、封緘部材５１に代えて、樹脂製もしくは金属製で有底筒形状の封印部材５２を有していることである。電子ナンバープレート用無線通信モジュール２にボルト３を通し、電子ナンバープレート用無線通信モジュール２をナンバープレート１に固定した後、封印部材５２を、ボルト３に被せるように、取り付け部２２に取り付ける。
【００５８】
このような組み付けを行うことで、ナンバープレート１に電子ナンバープレート用無線通信モジュール２が取り付けられた状態において、封印部材５２は、回り止めプレート２３等の回り止めの機構を外部から完全に隠す蓋として機能する。このようになっていることで、ナンバープレート１の見栄えが向上し、さらに、電子ナンバープレート用無線通信モジュール２の取り付け構造に対する第三者によるいたずらを抑制することもできる。また、電子ナンバープレート用無線通信モジュール２およびナンバープレート１の盗難の恐れを低減することができる。
【００５９】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００６０】
例えば、窪み部２５の大きさは、回り止めプレート２３の大きさよりもやや大きくなっていてもよい。この場合、回り止めプレート２３は、窪み部２５にぴったり密着するのではなく、回り止めプレート２３と窪み部２５との間に隙間を残しながら、窪み部２５に嵌まることになる。この場合、回り止めプレート２３と窪み部２５との接触部は、点または線となる。このようになっていても、回り止めプレート２３の取り付け部２２に対する回転は制限される。このように、回り止めプレート２３と窪み部２５との間に隙間があれば、熱で取り付け部２２の樹脂が膨張しても、回り止めプレート２３と窪み部２５との間にかかるストレスを軽減もしくは解消することができる。
【００６１】
また、突起部２４ａ、３４、６２の、歯状に並んだ突起物は、電子ナンバープレート用無線通信モジュール２のボルト３の周りの回転を制限できる程度の食い込み量、もしくは摩擦力等が確保出来るならば、その材質は樹脂やゴム等であってもよい。
【００６２】
また、回り止めプレート２３、プレート部３３ａ等の回り止めの部材は、電子ナンバープレート用無線通信モジュール２のボルト３の周りの方向の動きを制限できるならば、どのような形状であってもよい。
【００６３】
また、突起部と回り止め部材との結合は、溶接、接着等で実現してもよい。また、突起部をインサート成形にて電子ナンバープレート用無線通信モジュール２の接触面に埋め込んでもよい。
【００６４】
また、突起部２４ａは、取り付け部２２でなく、筐体本体２１の面のうち、ナンバープレート１に対向する面に取り付けられていてもよい。
【００６５】
また、筐体本体２１と取り付け部２２は、ナンバープレート１への組み付け時に互いに固定されるようになっていればよいのであって、例えば製造時、販売時等においては、分離していてもよい。
【００６６】
また、本発明の技術は、電子ナンバープレート用無線通信モジュール２に限らず、ナンバープレート１に取り付けられる無線通信のための装置であればどのようなものにでも適用可能である。
【図面の簡単な説明】
【００６７】
【図１】ナンバープレート１に、本発明の実施形態に係る電子ナンバープレート用無線通信モジュール２が、ボルト３で固定される様子を斜視図である。
【図２】電子ナンバープレート用無線通信モジュール２およびボルト３を、電子ナンバープレート用無線通信モジュール２の前面側から見た斜視図である。
【図３】電子ナンバープレート用無線通信モジュール２およびボルト３を、電子ナンバープレート用無線通信モジュール２の接触面側から見た斜視図である。
【図４】取り付け部２２に対する回り止めプレート２３および突起形状部材２４の取り付け手順を示す斜視図である。
【図５】図４における線１１、１２を含む面における断面図である。
【図６】回り止めプレート２３および突起形状部材２４を取り付け部２２に組み付けた状態の、図５と同じ面における断面図である。
【図７】電子ナンバープレート用無線通信モジュール２をナンバープレート１に固定する手順を示す、図５と同じ面における断面図である。
【図８】電子ナンバープレート用無線通信モジュール２をナンバープレート１に固定する手順を示す、図５と同じ面における断面図である。
【図９】電子ナンバープレート用無線通信モジュール２をナンバープレート１に固定する手順を示す、図５と同じ面における断面図である。
【図１０】第２実施形態に係る電子ナンバープレート用無線通信モジュール２の、図５と同じ形式による断面図である。
【図１１】第２実施形態に係る電子ナンバープレート用無線通信モジュール２の、図６と同じ形式による断面図である。
【図１２】第３実施形態に係る電子ナンバープレート用無線通信モジュール２の斜視図である。
【図１３】第３実施形態に係る電子ナンバープレート用無線通信モジュール２の、図５と同じ形式による断面図である。
【図１４】第３実施形態に係る電子ナンバープレート用無線通信モジュール２の、図５と同じ形式による断面図である。
【図１５】第４実施形態係る電子ナンバープレート用無線通信モジュール２の斜視図である。
【図１６】第４実施形態係る電子ナンバープレート用無線通信モジュール２の斜視図である。
【図１７】第５実施形態係る電子ナンバープレート用無線通信モジュール２の斜視図である。
【図１８】第６実施形態係る電子ナンバープレート用無線通信モジュール２の斜視図である。
【符号の説明】
【００６８】
１…ナンバープレート、２…電子ナンバープレート用無線通信モジュール、
３…ボルト、１０…穴、２１…筐体本体、２２…取り付け部、
２３…回り止めプレート、２３ａ、２３ｂ…かしめ部、２４…突起形状部材、
２４ａ…突起部、２４ｂ…ブッシュ部、２４ｃ…切り欠き、２４ｄ…切り欠き、
２５…窪み部、２６…円柱形状、３３…回り止め部材、３３ａ…プレート部、
３３ｂ…ブッシュ部、３４…外歯座金、４３…ブッシュ部材、５１…封緘部材、
５２…封印部材、６１…溝、６２…アーチ歯。
【図１】
2008049771.tif 000003
【図２】
2008049771.tif 000004
【図３】
2008049771.tif 000005
【図４】
2008049771.tif 000006
【図５】
2008049771.tif 000007
【図６】
2008049771.tif 000008
【図７】
2008049771.tif 000009
【図８】
2008049771.tif 000010
【図９】
2008049771.tif 000011
【図１０】
2008049771.tif 000012
【図１１】
2008049771.tif 000013
【図１２】
2008049771.tif 000014
【図１３】
2008049771.tif 000015
【図１４】
2008049771.tif 000016
【図１５】
2008049771.tif 000017
【図１６】
2008049771.tif 000018
【図１７】
2008049771.tif 000019
【図１８】
2008049771.tif 000020